(57)【要約】【課題】收納と運搬の空間を節減できるステップフィットネスマシンを提供する。【解決手段】メインフレーム10、ペダルユニット20、抵抗ユニット30、２個の脚フレーム40からなり、２個の脚フレーム40はメインフレーム10両側にそれぞれ設置し、各脚フレーム40はメインフレーム10底部に対応し選択的に折り畳まれ、ペダル22はメインフレーム10の回転クランクシャフト21に可動状に通し、回転クランクシャフト21両端にそれぞれ設置し、こうしてペダル22を踏んで作動させられ、抵抗ユニット30は回転クランクシャフト21外周に設置し、回転クランクシャフト21の回転抵抗作用を選択的に改変し、これにより、使用者が運動時に、メインフレーム10両側の脚フレーム40を展開させ床面に立たせ、使用者がペダルユニット20を踏むことで、両側のペダル22は交差運動を生じ、運動後は両側の脚フレーム40を選択的に折り畳むことで、收納と運搬の空間を節減できる。【選択図】図４
0003172719.tif 000002
【実用新案登録請求の範囲】
【請求項１】
メインフレーム、ペダルユニット、２個の脚フレームを備える、ステップフィットネスマシンであって、
前記メインフレームの両端には、それぞれ斜め下へと延伸して設置する伸棒部を備え、さらに前記メインフレームは、両端の伸棒部の自由端において、それぞれ開口が下向きの関節軸槽を備え、また前記メインフレーム両端の伸棒部の頂点面には、前記関節軸槽に通じる弾力嵌合孔をそれぞれ形成し、
前記ペダルユニットは、回転クランクシャフトを利用し、前記メインフレーム上に可動状に設置し、しかも前記回転クランクシャフト両端には、それぞれペダルを可動状に設置し、 
各の前記脚フレームは、前記メインフレーム伸棒部の自由端にそれぞれ可動状に設置し、しかも前記各脚フレームは、前記メインフレーム関節軸槽に対応する可動関節を備え、前記可動関節は、前記関節軸槽内に可動状に設置され、さらに前記可動関節上には、前記弾力嵌合孔に対応する収容設置孔を形成し、しかも前記収容設置孔内には、前記弾力嵌合孔に選択的に嵌合する弾力嵌合柱をスライド状に設置することを特徴とするステップフィットネスマシン。
【請求項２】
前記メインフレームの両側の伸棒部は、前記関節軸槽両側に、それぞれ可動接続部を備え、
前記各脚フレームの可動関節上には、対応する可動接続部を備え、
これにより、可動接続軸部品を利用し、前記各脚フレームを、前記メインフレームの伸棒部上にそれぞれ可動状に設置することを特徴とする請求項１に記載のステップフィットネスマシン。
【請求項３】
前記ペダルユニットは、前記回転クランクシャフトにおいて、前記メインフレーム両側の外側に、それぞれ磁石台を設置し、しかも一方の磁石台の内面には、感知磁石を設置し、
さらに、前記ペダルユニットは、前記メインフレーム上に、電子メーターを設置し、前記電子メーターは、前記メインフレーム上に設置する感知棒を備え、前記感知棒は、前記感知磁石の回転半径に対応し、これにより前記ペダルユニット回転クランクシャフトの回転数をカウントすることを特徴とする請求項１に記載のステップフィットネスマシン。
【請求項４】
前記メインフレームは、前記ペダルユニットの回転クランクシャフト上に、抵抗ユニットを設置し、
前記抵抗ユニットは、前記回転クランクシャフトを相対して包覆する固定ダンピングと可動ダンピングを備え、しかも前記抵抗ユニットは、前記メインフレーム上に、前記可動ダンピングに対応する調整ボルトを螺合して設置し、
前記調整ボルト底端には、前記可動ダンピングを抑えて制動するブレーキ圧迫パッドを備え、前記調整ボルトを回すことにより、前記可動ダンピングと前記固定ダンピングの回転クランクシャフトに対する挟持制動力を改変し、こうして前記回転クランクシャフトのダンピング力を調節することを特徴とする請求項１に記載のステップフィットネスマシン。
【考案の詳細な説明】
【技術分野】
【０００１】
本考案は腿部運動のフィットネスマシン技術に関し、特に構造が簡単で、しかも省スペースなステップフィットネスマシンに関する。
【背景技術】
【０００２】
一般の運動、フィットネスマシンにおいては、積載力及び運動効果への配慮から、通常、その構造設計は一定の複雑度と体積を備える。しかし、その構造が複雑で、しかも收納及び運搬時に場所をとるため、製造、収蔵、運搬のコストを押し上げてしまう他、場所をとることと收納の問題から、一般の家庭環境或いはオフィスなどには適していない。
【０００３】
すなわち、構造が簡単で、省スペースで、しかも収納が容易なフィットネスマシンを提供することができれば、使用者は恒常的に運動が可能となり、健康促進の目的を達成することができる。
【０００４】
本考案者は、フィットネスマシンが応用において直面する上記問題を研究し、ステップフィットネスマシンを開発した。これにより、体積が大きいことにより起きていた既存のフィットネスマシンの不便と面倒を解決することができる。
本考案は、従来のフィットネスマシンの上記した欠点に鑑みてなされたものである。
【考案の概要】
【考案が解決しようとする課題】
【０００５】
本考案が解決しようとする第一の課題は、運搬及び收納時に、その体積を縮小することができ、これにより運搬と收納の空間を節減でき、使用者の隨時使用の便を図る折り畳み可能なステップフィットネスマシンを提供することである。
また、本考案が解決しようとする第二の課題は、製造と組立ての難度を引き下げられ、しかも運搬と收納空間節減の効果を対応させることで、そのコストパフォーマンスを高めることができる構造が簡単なステップフィットネスマシンを提供することである。
【課題を解決するための手段】
【０００６】
上記課題を解決するため、本考案は下記のステップフィットネスマシンを提供する。
ステップフィットネスマシンは、メインフレーム、ペダルユニット、２個の脚フレームを備え、該メインフレームの両端には、それぞれ斜め下へと延伸して設置する伸棒部を備え、さらに該メインフレームは、両端の伸棒部の自由端において、それぞれ開口が下向きの関節軸槽を備え、また該メインフレーム両端の伸棒部の頂点面には、関節軸槽に通じる弾力嵌合孔をそれぞれ形成し、該ペダルユニットは、回転クランクシャフトを利用し、メインフレーム上に可動状に設置し、しかも該回転クランクシャフト両端には、それぞれペダルを可動状に設置し、該２個の脚フレームの各脚フレームは、該メインフレーム伸棒部の自由端にそれぞれ可動状に設置し、しかも該各脚フレームは、該メインフレーム関節軸槽に対応する可動関節を備え、該可動関節は、該関節軸槽内に可動状に設置され、さらに該可動関節上には、弾力嵌合孔に対応する収容設置孔を形成し、しかも該収容設置孔内には、該弾力嵌合孔に選択的に嵌合する弾力嵌合柱をスライド状に設置し、上記した技術手段により、本考案のステップフィットネスマシンの全体構造は、メインフレーム、ペダルユニット、折り畳み可能な脚フレームのみにより構成するため、構造が極めてシンプルで、しかも、運動しようとする時には、両側の脚フレームを展開させるだけで良く、これにより使用者はペダルユニットを踏むことで、交互運動を生じることができ、しかも運動後は、両側の脚フレームを選択的に折り畳むことで、收納及び運搬の空間を効果的に節減でき、こうして使用者はいつでもどこでも運動が可能となり、健康促進の目的を達成することができる。
【考案の効果】
【０００７】
本考案のステップフィットネスマシンは、運搬及び收納時に、その体積を縮小することができ、これにより運搬と收納の空間を節減でき、使用者の隨時使用の便を図ることができ、製造と組立ての難度を引き下げられ、しかも運搬と收納空間節減の効果を対応させることで、そのコストパフォーマンスを高めることができる。
【図面の簡単な説明】
【０００８】
【図１】本考案のステップフィットネスマシンの立体外観模式図である。
【図２】本考案のステップフィットネスマシンの立体分解模式図である。
【図３】本考案のステップフィットネスマシンの側視平面模式図である。
【図４】本考案のステップフィットネスマシンの側視断面模式図である。
【図５】本考案のステップフィットネスマシンの折り畳み時の断面模式図である。
【図６】本考案のステップフィットネスマシンの折り畳み後の立体外観図である。
【考案を実施するための形態】
【０００９】
以下に図面を参照しながら本考案を実施するための最良の形態について詳細に説明する。
【００１０】
本考案ステップフィットネスマシンは、図１、２に示すように、メインフレーム10により構成し、しかもメインフレーム10上には、交互ステップに用いるペダルユニット20を可動状に設置する。さらに、メインフレーム10両端には、床面に立てて置くために用いる脚フレーム40それぞれ設置する。各脚フレーム40は、メインフレーム10に相対させて、選択的に折り畳むことができる。
【００１１】
本考案の詳細な構成に関しては、図１〜４に示すように、メインフレーム10は、「Λ」字型を呈する２個の側蓋11が相対して蓋合し構成される。しかも、メインフレーム10の両端には、それぞれ斜め下へと延伸して設置する伸棒部15を備える。さらに、メインフレーム10は、両端の伸棒部15の自由端において、それぞれ開口が下向きの関節軸槽16を備える。しかも、メインフレーム10の両側の伸棒部15は、関節軸槽16両側に、それぞれ可動接続部17を備える。これにより、可動接続軸部品18を利用し、脚フレーム40をそれぞれメインフレーム10の伸棒部15関節軸槽16内に可動状に設置する。また、メインフレーム10両端の伸棒部15の頂点面には、関節軸槽16に通じる弾力嵌合孔19をそれぞれ形成し、これにより各脚フレーム40は選択的に定位、嵌合される。
【００１２】
ペダルユニット20は、メインフレーム10中央に可動状に挿入する回転クランクシャフト21により構成する。ペダルユニット20は、回転クランクシャフト21両端に、それぞれペダル22を可動状に設置し、使用者は両足でペダル22を交互に踏むことにより、回転クランクシャフト21の回転を駆動する。また、ペダルユニット20は、回転クランクシャフト21において、メインフレーム10両側の外側に、それぞれ磁石台25を設置する。しかも、一方の磁石台25の内面には、感知磁石26を設置する。さらに、ペダルユニット20は、メインフレーム10上に、電子メーター28を設置する。電子メーター28は、メインフレーム10上に設置する感知棒29を備える。感知棒29は、磁石台25上の感知磁石26の回転半径に対応し、ペダルユニット20回転クランクシャフト21の回転数をカウントする。しかも、メインフレーム10は、ペダルユニット20の回転クランクシャフト21上に、抵抗ユニット30を設置し、運動の抵抗作用を選択的に改変することができる。しかも、電子メーター28は回数をカウントする他、消費カロリー等を計算することもできる。
【００１３】
抵抗ユニット30は、メインフレーム10内に設置する。抵抗ユニット30は、ペダルユニット20回転クランクシャフト21を相対して包覆する固定ダンピング31と可動ダンピング32を備える。しかも、抵抗ユニット30は、メインフレーム10上に、可動ダンピング32に対応する調整ボルト35を螺合して設置する。また、調整ボルト35底端には、可動ダンピング32を抑えて制動するブレーキ圧迫パッド36を備え、回転調整ボルト35により、可動ダンピング32と固定ダンピング31の回転クランクシャフト21に対する挟持制動力を改変する。こうして、回転クランクシャフト21の抵抗作用を調節し、これによりステップ運動効果調整の目的を達成する。
【００１４】
脚フレーム40は、床面に立てて置くことができる底棒41、及び底棒41上に斜めに設置する少なくとも１個のサポート棒42により構成する。各サポート棒42の自由端には、可動関節45を跨いで設置し、可動関節45は、メインフレーム10伸棒部15の関節軸槽16内に収容して設置する。しかも、可動関節45上には、関節軸槽16可動接続部17に対応する可動接続部46を備える。これにより、可動接続軸部品18は、脚フレーム40可動関節45を、メインフレーム10伸棒部15上に可動状に設置する。さらに、脚フレーム40は可動関節45上に、伸棒部15弾力嵌合孔19に対応する収容設置孔47を形成し、しかも収容設置孔47内には、選択的に穿出し、しかもやや弾力嵌合孔19内に入る弾力嵌合柱48をスライド状に設置する。さらに、可動関節45は、弾力嵌合柱48底部に、弾性部品49を設置する。収容設置孔47底端には、弾性部品49を押す挿入体50を備え、これにより弾力嵌合柱48は、弾性部品49の回復プレストレスト作用を受け、外へと突出するプレストレストを生じる。こうして、構造が簡単で、しかも折り畳み可能なステップフィットネスマシンを構成する。
【００１５】
本考案の実際の応用については、図１、３に示すように、両側の脚フレーム40をそれぞれ外へと展開させる。これにより、脚フレーム40とメインフレーム10伸棒部15は、一直線状に連なる。こうして、脚フレーム40可動関節45内の弾力嵌合柱48は、伸棒部15関節軸槽16の弾力嵌合孔19に嵌合され、メインフレーム10は両側脚フレーム40のサポートを受け、床面に立たせることができる。
【００１６】
使用時には、使用者はイスに座り、ステップフィットネスマシンを前方に設置し、同時に、両足で、ペダルユニット20両側のペダル22上を踏む。続いて、自転車に騎乗する方式のように、継続的に両側のペダル22を交互に踏み、回転クランクシャフト21の回転を連動する。こうして、腿部の運動を行い、しかも使用者は、抵抗ユニット30の調整ボルト35を回す方式を通して、可動ダンピング32と固定ダンピング31の回転クランクシャフト21に対する挟持制動力を改変でき、これによりその抵抗作用を調節し、運動効果調整のニーズに応えることができる。
【００１７】
折り畳む必要がある時には、図４〜６に示すように、使用者は、フレーム40可動関節45上に突出する伸棒部15の関節軸槽16弾力嵌合孔19の弾力嵌合柱48を押し、弾力嵌合柱48を弾力嵌合孔19から離脱させる。こうして、脚フレーム40可動関節45は、可動接続軸部品18を中心として可動回転を生じ、両端の脚フレーム40は、メインフレーム10内側底部へと折り畳まれ、しかも弾力嵌合柱48は弾性部品49の外側へのプレストレストの影響で復位し、次の循環使用に備える。これにより、両端の脚フレーム40は折り畳まれ、体積縮小の目的を達成することができ、收納、使用が容易になるばかりでなく、収蔵、運搬の数量を増やすことができるため、コスト低下の効果を達成することができる。
【００１８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１９】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２０】
10：メインフレーム、11：側蓋、15：伸棒部、16：関節軸槽、17：可動接続部、18：可動接続軸部品、19：弾力嵌合孔、20：ペダルユニット、21：回転クランクシャフト、22：ペダル、25：磁石台、26：感知磁石、28：電子メーター、29：感知棒、30：抵抗ユニット、31：固定ダンピング、32：可動ダンピング、35：調整ボルト、36：ブレーキ圧迫パッド、40：脚フレーム、41：底棒、42：サポート棒、45：可動関節、46：可動接続部、47：収容設置孔、48：弾力嵌合柱、49：弾性部品、50：挿入体。
【図１】
0003172719.tif 000003
【図２】
0003172719.tif 000004
【図３】
0003172719.tif 000005
【図４】
0003172719.tif 000006
【図５】
0003172719.tif 000007
【図６】
0003172719.tif 000008